(57)【要約】【課題】  テレビジョン受信信号などの映像信号をアスペクト比の異なる外部機器で使用することを考慮して好適に記録する。【解決手段】  記録された映像信号を再生するときの規定された画面サイズ内で入力画像の真円率が１で且つ最大の大きさとなるように原映像信号のアスペクト比を変換する。次いで、規定された画面サイズと同じ若しくは映像合成するのに必要な大きさの背景信号を生成し、これを主たる映像信号の周囲に付加することにより所望の映像信号のサイズを設定し、再生時に合致したアスペクト比からなる記録用の画像を生成する。【選択図】  図１
2005045519.tif 000002
【特許請求の範囲】
【請求項１】
映像信号を処理する画像処理装置であって、
原映像信号についてのアスペクト比情報を取得するアスペクト比情報取得手段と、
該取得されたアスペクト比情報に基づいて原映像信号の画像の真円度が１となるようにアスペクト比を変換するアスペクト比変換手段と、
主たる映像信号の背景となる映像信号を生成する背景信号生成手段と、
アスペクト比の変換処理が施された映像信号と背景信号とを合成処理する映像信号合成手段と、
を具備することを特徴とする画像処理装置。
【請求項２】
前記アスペクト比情報取得手段は、入力された映像信号に付加された識別情報に基づいてアスペクト比情報を取得する、
ことを特徴とする請求項１に記載の画像処理装置。
【請求項３】
前記アスペクト比変換手段は、入力された映像信号の情報に基づいて自動で映像信号のアスペクト比を変換する動作モードと、入力信号に依存せず設定により固定倍率で映像信号のアスペクト比を変換する動作モードを有する、
ことを特徴とする請求項１に記載の画像処理装置。
【請求項４】
前記アスペクト比変換手段は、画素数変換により原映像信号のアスペクト比を変換する、
ことを特徴とする請求項１に記載の画像処理装置。
【請求項５】
前記アスペクト比変換手段は、規定された画像サイズ内で入力画像の真円率が１で且つ最大の大きさとなるように原映像信号のアスペクト比を変換する、
ことを特徴とする請求項１に記載の画像処理装置。
【請求項６】
前記背景信号生成手段は、プログラムによる矩形領域の塗り潰し、ビットマップ形式やＪＰＥＧ（Ｊｏｉｎｔ  Ｐｉｃｔｕｒｅ  Ｅｘｐｅｒｔｓ  Ｇｒｏｕｐ）形式などで設定された画像若しくはこれらの組み合わせによって、前記アスペクト比変換手段で生成される映像信号と同じ信号フォーマットで生成する、
ことを特徴とする請求項１に記載の画像処理装置。
【請求項７】
前記映像信号合成手段は映像信号のサイズを設定する、
ことを特徴とする請求項１に記載の画像処理装置。
【請求項８】
合成された映像信号をリムーバブルの記録メディアに記録する記録手段をさらに備える、
ことを特徴とする請求項１に記載の画像処理装置。
【請求項９】
前記アスペクト比変換手段は、前記記録メディアを装填する外部機器上において記録された映像信号を再生するときの規定された画面サイズ内で入力画像の真円率が１で且つ最大の大きさとなるように原映像信号のアスペクト比を変換する、
ことを特徴とする請求項８に記載の画像処理装置。
【請求項１０】
前記背景信号生成手段は、前記記録メディアを装填する外部機器上において記録された映像信号を再生するときの規定された画面サイズと同じ若しくは映像合成するのに必要な大きさの背景信号を生成する、
ことを特徴とする請求項８に記載の画像処理装置。
【請求項１１】
前記映像信号合成手段は、前記アスペクト比変換手段で変換された画像のアスペクトがあらかじめ設定されている記録時のアスペクトと異なる場合に、これを合せるために背景信号を主たる映像信号の周囲に付加して、所望のアスペクトの画像を生成する、
ことを特徴とする請求項８に記載の画像処理装置。
【請求項１２】
映像信号を処理する画像処理方法であって、
原映像信号についてのアスペクト比情報を取得するアスペクト比情報取得ステップと、
該取得されたアスペクト比情報に基づいて原映像信号の画像の真円度が１となるようにアスペクト比を変換するアスペクト比変換ステップと、
主たる映像信号の背景となる映像信号を生成する背景信号生成ステップと、
アスペクト比の変換処理が施された映像信号と背景信号とを合成処理する映像信号合成ステップと、
を具備することを特徴とする画像処理方法。
【請求項１３】
前記アスペクト比情報取得ステップでは、入力された映像信号に付加された識別情報に基づいてアスペクト比情報を取得する、
ことを特徴とする請求項１２に記載の画像処理方法。
【請求項１４】
前記アスペクト比変換ステップは、入力された映像信号の情報に基づいて自動で映像信号のアスペクト比を変換する動作モードと、入力信号に依存せず設定により固定倍率で映像信号のアスペクト比を変換する動作モードを有する、
ことを特徴とする請求項１２に記載の画像処理方法。
【請求項１５】
前記アスペクト比変換ステップでは、画素数変換により原映像信号のアスペクト比を変換する、
ことを特徴とする請求項１２に記載の画像処理方法。
【請求項１６】
前記アスペクト比変換ステップでは、規定された画像サイズ内で入力画像の真円率が１で且つ最大の大きさとなるように原映像信号のアスペクト比を変換する、
ことを特徴とする請求項１２に記載の画像処理方法。
【請求項１７】
前記背景信号生成ステップでは、プログラムによる矩形領域の塗り潰し、ビットマップ形式やＪＰＥＧ（Ｊｏｉｎｔ  Ｐｉｃｔｕｒｅ  Ｅｘｐｅｒｔｓ  Ｇｒｏｕｐ）形式などで設定された画像若しくはこれらの組み合わせによって、前記アスペクト比変換手段で生成される映像信号と同じ信号フォーマットで生成する、
ことを特徴とする請求項１２に記載の画像処理方法。
【請求項１８】
前記映像信号合成ステップでは映像信号のサイズを設定する、
ことを特徴とする請求項１２に記載の画像処理方法。
【請求項１９】
合成された映像信号をリムーバブルの記録メディアに記録する記録ステップをさらに備える、
ことを特徴とする請求項１２に記載の画像処理方法。
【請求項２０】
前記アスペクト比変換ステップでは、前記記録メディアを装填する外部機器上において記録された映像信号を再生するときの規定された画面サイズ内で入力画像の真円率が１で且つ最大の大きさとなるように原映像信号のアスペクト比を変換する、
ことを特徴とする請求項１９に記載の画像処理方法。
【請求項２１】
前記背景信号生成ステップでは、前記記録メディアを装填する外部機器上において記録された映像信号を再生するときの規定された画面サイズと同じ若しくは映像合成するのに必要な大きさの背景信号を生成する、
ことを特徴とする請求項１９に記載の画像処理方法。
【請求項２２】
前記映像信号合成ステップでは、前記アスペクト比変換手段で変換された画像のアスペクトがあらかじめ設定されている記録時のアスペクトと異なる場合に、これを合せるために背景信号を主たる映像信号の周囲に付加して、所望のアスペクトの画像を生成する、
ことを特徴とする請求項１９に記載の画像処理方法。
【請求項２３】
映像信号を処理するための処理をコンピュータ・システム上で実行するようにコンピュータ可読形式で記述されたコンピュータ・プログラムであって、
原映像信号についてのアスペクト比情報を取得するアスペクト比情報取得ステップと、
該取得されたアスペクト比情報に基づいて原映像信号の画像の真円度が１となるようにアスペクト比を変換するアスペクト比変換ステップと、
主たる映像信号の背景となる映像信号を生成する背景信号生成ステップと、
アスペクト比の変換処理が施された映像信号と背景信号とを合成処理する映像信号合成ステップと、
を具備することを特徴とするコンピュータ・プログラム。
【発明の詳細な説明】
【技術分野】
【０００１】
本発明は、テレビジョン受信信号などの映像信号を処理する画像処理装置及び画像処理方法、並びにコンピュータ・プログラムに係り、特に、テレビジョン受信信号などの映像信号を外部機器で使用するために記録する画像処理装置及び画像処理方法、並びにコンピュータ・プログラムに関する。
【０００２】
さらに詳しくは、本発明は、テレビジョン受信信号などの映像信号を表示形式の異なる外部機器で使用するために記録する画像処理装置及び画像処理方法、並びにコンピュータ・プログラムに係り、テレビジョン受信信号などの映像信号をアスペクト比の異なる外部機器で使用するために記録する画像処理装置及び画像処理方法、並びにコンピュータ・プログラムに関する。
【背景技術】
【０００３】
現代の情報文明社会において、放送の役割は計り知れない。とりわけ、音響とともに映像情報を視聴者の元に直接届けるテレビ放送の影響は大きい。放送技術は、信号処理やその送受信、音声や映像の情報処理など、幅広い技術を包含する。また、伝送形態は、地上波や衛星波などの電波による放送方式やケーブル・テレビ方式、さらにはコンピュータ通信を利用したものなどさまざまである。
【０００４】
テレビの普及率はきわめて高く、ほとんどすべての家庭内に設置されており、各放送局から配信される放送コンテンツは不特定多数の人々によって視聴されている。また、放送コンテンツを視聴する他の形態として、受信したコンテンツを一旦録画しておき、好きな時間に再生するということが挙げられる。
【０００５】
放送コンテンツの再生には、従来、ＶＴＲやＨＤＤレコーダが利用されてきた。他方、録画コンテンツをＰＤＡ（Ｐｅｒｓｏｎａｌ  Ｄｉｇｉｔａｌ  Ａｓｓｉｓｔａｎｔ）などの携帯機器上で、すなわち気の向いた場所で好きな時間に再生して楽しみたい、という要望がある。ところが、この種の携帯機器に搭載されている表示ディスプレイとテレビ受像機とではアスペクト比が相違するという問題点がある。
【０００６】
携帯機器上で録画コンテンツを再生するビューワは、一般に、アスペクト比を変換する仕組みを装備していない。このため、携帯機器側で表示出力する際のアスペクト比に整合するように、画像信号を機器側に移動する必要がある。
【０００７】
これに対し、ＶＴＲやＨＤＤレコーダは、基本的には、入力された画像信号をそのままのアスペクト比で記録するようになっている。また、ビデオ・テープを携帯機器上で再生することは物理的に不可能であり、ＨＤＤレコーダにおいては記録メディアそのものが固定的であり好きな場所に持ち運ぶことができない。携帯機器側で利用可能とするためには、より小型軽量で持ち運びに便利な外部メモリが好ましいと思料される。
【０００８】
また、従来のコンテンツ記録装置では、記録の際に映像信号に重畳されているビデオＩＤ信号の情報が欠落して記録されるため、表示側の機器にアスペクト比を変換する仕組みが備わっていたとしても、自動で変換することはできない。
【０００９】
例えば、アスペクト比情報の整合処理を行なう情報記録再生装置について提案がなされているが（例えば、特許文献１を参照のこと）、これはＤＶＤなどの記録メディアから読み出したビデオ信号を再生処理する際のアスペクト比情報の整合性を得るものであり、記録メディアにビデオ信号を書き込む際にアスペクト比情報の整合性を得るものではない。言い換えれば、記録メディアに書き込まれているビデオ信号自体が携帯機器のビューワに対応していなければ、携帯機器上で再生することはできない。
【００１０】
【特許文献１】特開２００２−２５１８３０号公報
【発明の開示】
【発明が解決しようとする課題】
【００１１】
本発明の目的は、テレビジョン受信信号などの映像信号を表示形式の異なる外部機器で使用することを考慮して好適な形式で記録することができる、優れた画像処理装置及び画像処理方法、並びにコンピュータ・プログラムを提供することにある。
【００１２】
本発明のさらなる目的は、テレビジョン受信信号などの映像信号をアスペクト比の異なる外部機器で使用することを考慮して好適に記録することができる、優れた画像処理装置及び画像処理方法、並びにコンピュータ・プログラムを提供することにある。
【課題を解決するための手段】
【００１３】
本発明は、上記課題を参酌してなされたものであり、その第１の側面は、映像信号を処理する画像処理装置であって、
原映像信号についてのアスペクト比情報を取得するアスペクト比情報取得手段と、
該取得されたアスペクト比情報に基づいて原映像信号の画像の真円度が１となるようにアスペクト比を変換するアスペクト比変換手段と、
主たる映像信号の背景となる映像信号を生成する背景信号生成手段と、
アスペクト比の変換処理が施された映像信号と背景信号とを合成処理する映像信号合成手段と、
を具備することを特徴とする画像処理装置である。
【００１４】
ここで、合成された映像信号は、例えばリムーバブルの記録メディアに記録される。そして、映像信号を格納した記録メディアを携帯端末などの外部機器に装填し、専用ビューワなどを用いて記録された映像信号を再生すなわち表示出力する。
【００１５】
前記アスペクト比変換手段は、例えば画素数変換により、前記記録メディアを装填する外部機器上において記録された映像信号を再生するときの規定された画面サイズ内で入力画像の真円率が１で且つ最大の大きさとなるように原映像信号のアスペクト比を変換する。
【００１６】
次いで、前記背景信号生成手段は、前記記録メディアを装填する外部機器上において記録された映像信号を再生するときの規定された画面サイズと同じ若しくは映像合成するのに必要な大きさの背景信号をアスペクト比変換手段で生成される映像信号と同じ信号フォーマットで生成する。例えば、プログラムによる矩形領域の塗り潰し、ビットマップ形式やＪＰＥＧ（Ｊｏｉｎｔ  Ｐｉｃｔｕｒｅ  Ｅｘｐｅｒｔｓ  Ｇｒｏｕｐ）形式などで設定された画像若しくはこれらの組み合わせによって背景信号を生成することができる。
【００１７】
そして最後に、変換された画像のアスペクトがあらかじめ設定されている記録時のアスペクトと異なる場合に、これを合せるために背景信号を主たる映像信号の周囲に付加することにより所望の映像信号のサイズを設定し、再生時に合致したアスペクト比からなる記録用の画像を生成する。
【００１８】
また、本発明の第２の側面は、映像信号を処理するための処理をコンピュータ・システム上で実行するようにコンピュータ可読形式で記述されたコンピュータ・プログラムであって、
原映像信号についてのアスペクト比情報を取得するアスペクト比情報取得ステップと、
該取得されたアスペクト比情報に基づいて原映像信号の画像の真円度が１となるようにアスペクト比を変換するアスペクト比変換ステップと、
主たる映像信号の背景となる映像信号を生成する背景信号生成ステップと、
アスペクト比の変換処理が施された映像信号と背景信号とを合成処理する映像信号合成ステップと、
を具備することを特徴とするコンピュータ・プログラムである。
【００１９】
本発明の第２の側面に係るコンピュータ・プログラムは、コンピュータ・システム上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ・システム上では協働的作用が発揮され、本発明の第１の側面に係る画像処理装置と同様の作用効果を得ることができる。
【発明の効果】
【００２０】
本発明によれば、テレビジョン受信信号などの映像信号をアスペクト比の異なる外部機器で使用することを考慮して好適に記録することができる、優れた画像処理装置及び画像処理方法、並びにコンピュータ・プログラムを提供することができる。
【００２１】
本発明によれば、映像信号のアスペクト比を画像の真円率が１となるように自動で変換するので、再生時に表示する装置にアスペクト変換機能がなくても正しい表示をすることが可能となる。
【００２２】
本発明のさらに他の目的、特徴や利点は、後述する本発明の実施形態や添付する図面に基づくより詳細な説明によって明らかになるであろう。
【発明を実施するための最良の形態】
【００２３】
以下、図面を参照しながら本発明の実施形態について詳解する。
【００２４】
図１には、本発明の一実施形態に係る画像処理装置の機能構成を模式的に示している。画像処理装置は、例えばテレビジョン信号を受信するテレビ受像機やセットトップボックスなどの機器に内蔵され、あるいはこの種の機器に外部接続して適用され、テレビジョン受信信号などの映像信号を入力とする。但し、入力映像信号はテレビジョン信号に限定されるものではなく、例えばＶＴＲやＤＶＤなど他の記録メディアから再生された映像信号を入力とすることもできる。本実施形態に係る画像処理装置は、さまざまな形態で入力された映像信号を、例えば携帯機器のビューワ上で表示出力するために、リムーバブルで可搬性の記録メディアに記録する機能を持つ。
【００２５】
図示の画像処理装置は、ビデオＩＤ検出器２と、アスペクト比変換器３と、背景生成器４と、映像合成器５と、記録器６を備えている。
【００２６】
映像信号は、図示しない外部装置より入力端子１を介して、ビデオＩＤ検出器２及びアスペクト比変換器３にそれぞれ入力される。入力された時点での映像信号は、画像の真円度が１であるとは限らない。
【００２７】
ビデオＩＤ検出器２は、入力された映像信号に重畳されるビデオＩＤ信号を検出し、映像信号として入力された画像のアスペクト比情報を取得し、結果をアスペクト比変換器３に送る。
【００２８】
アスペクト比変換器３は、規定された画像サイズ内に収まる最大サイズで入力画像の真円率が１となるように、アスペクト比情報に基づいて入力画像のアスペクト比を変換し、後段の映像合成器５に信号を送る。アスペクト比の変換は、規定された画像サイズ内で入力画像の真円率が１で且つ最大の大きさとなることが好ましい。アスペクト比の変換処理は、例えば画素数変換などの方法により行なわれる。変換後の画素サイズは、記録器６において、対応する記録メディアに記録する際の信号フォーマットなどにより決定される。
【００２９】
背景生成器４は、主たる映像信号の背景となる映像信号を生成する。本実施形態では、記録器６において記録する映像信号のサイズと同じ若しくは映像合成するのに必要な大きさの背景信号を生成する。具体的には、プログラムによる矩形領域の塗り潰し、ビットマップ形式やＪＰＥＧ（Ｊｏｉｎｔ  Ｐｉｃｔｕｒｅ  Ｅｘｐｅｒｔｓ  Ｇｒｏｕｐ）形式などで設定された画像若しくはこれらの組み合わせによって、アスペクト比変換器３で生成される映像信号と同じ信号フォーマットで生成する。
【００３０】
映像合成器５は、アスペクト比の変換処理が施された映像信号と背景信号とを合成処理する。映像の合成処理により、記録する映像信号のサイズを設定することができる。本実施形態では、アスペクト比変換器３で変換された画像のアスペクトがあらかじめ設定されている記録時のアスペクト（すなわち、記録器６で記録された記録メディアを携帯機器上で再生するときのアスペクト）と異なる場合に、これを合せるために背景信号を主たる映像信号の周囲に付加して、所望のアスペクトの画像を生成する。
【００３１】
以下の表には、ビデオＩＤとアスペクト比情報の関係を示している。
【００３２】
【表１】
2005045519.tif 000003
【００３３】
ビデオＩＤが００の場合はアスペクト比が４：３画像の信号又は情報がなく、この場合は、アスペクト比変換器３は真円度１のまま映像信号を出力する（図２を参照のこと）。また、ビデオＩＤが１０の場合はアスペクト比４：３の画像中にアスペクト比１６：９の画像が埋め込まれた画像のスクィーズ信号であるから、アスペクト比変換器３はアスペクト比１６：９に戻す必要がある（図３を参照のこと）。また、ビデオＩＤが０１の場合はアスペクト比４：３のレターボックス信号であり、この場合、アスペクト比変換器３は真円度１のまま映像信号を出力し、映像合成器５は背景信号を付加する（図４を参照のこと）。
【００３４】
但し、アスペクト比変換器３では、ビデオＩＤなどの入力された信号に重畳される情報に基づいて変換すべきアスペクト比を自動設定する以外に、入力信号に依存せず設定により固定倍率でアスペクト比を切り替えるようにしてもよい。
【００３５】
記録器６は、リムーバブルの記録メディアを装填するスロット（図示しない）を備え、装填された記録メディアに対して書き込みアクセスを行なうことができる。本実施形態では、記録器６は、映像合成器５によって生成された映像信号を、決められたある信号フォーマットに変換し、所定の記録メディア上に記録する。ここで言う記録メディアには、例えばメモリ・スティックなどのように携帯機器との間で互換性のある小型軽量のメモリ・デバイスなど、あるいはテープやディスクなどの記録媒体であってもよい。
【００３６】
［追補］
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、冒頭に記載した特許請求の範囲の欄を参酌すべきである。
【図面の簡単な説明】
【００３７】
【図１】図１は、本発明の一実施形態に係る画像処理装置の機能構成を模式的に示した図である。
【図２】図２は、アスペクト比変換並びに映像合成の一例を示した図である。
【図３】図３は、アスペクト比変換並びに映像合成の一例を示した図である。
【図４】図４は、アスペクト比変換並びに映像合成の一例を示した図である。
【符号の説明】
【００３８】
１…入力端子
２…ビデオＩＤ検出器
３…アスペクト比変換器
４…背景生成器
５…映像合成器
６…記録器
【図１】
2005045519.tif 000004
【図２】
2005045519.tif 000005
【図３】
2005045519.tif 000006
【図４】
2005045519.tif 000007